(57)【要約】【課題】  部品点数の削減を図り、低コスト化を図ることができるプリンタおよびそれを備えた売上登録装置を提供する。【解決手段】  第２印字ヘッド２３が記録紙Ｐに情報を印刷する際に、第２プラテンローラ２４が第２印字ヘッド２３の印字速度に応じて駆動される第２印字部１７と、印刷された記録紙Ｐを巻き取る巻取リール１９と、第２プラテンローラ２４の外周面に押し当てられて第２プラテンローラ２４の回転に伴って回転する第１従動ローラ２０と、この第１従動ローラ２０の回転によって回転して巻取リール１９を回転させる第２従動ローラ２１と、を備えている。従って、第１従動ローラ２０を第２プラテンローラ２４の回転に伴って回転させることができるので、巻取リール１９を回転させるための巻取専用の駆動源を必要としないため、駆動源であるモータ２５の数を削減でき、これにより低コスト化を図ることができる。【選択図】        図５
2020044762.tif 000002
【特許請求の範囲】
【請求項１】
印字ヘッドが記録紙をプラテンローラに押し当てて前記記録紙に情報を印刷する際に、前記プラテンローラが前記印字ヘッドの印字に応じて駆動される印字部と、
前記印字部で印刷された前記記録紙を巻き取る巻取リールと、
前記プラテンローラの外周面に押し当てられて前記プラテンローラの回転に伴って回転する第１従動ローラと、
前記第１従動ローラの回転によって回転して前記巻取リールを回転させる第２従動ローラと、
を備えていることを特徴とするプリンタ。
【請求項２】
請求項１に記載のプリンタにおいて、前記第１従動ローラは、前記プラテンローラによる前記記録紙の送り経路に干渉しない領域に配置されていることを特徴とするプリンタ。
【請求項３】
請求項１または請求項２に記載のプリンタにおいて、前記第１従動ローラは、前記印字ヘッドが押し当てられる前記プラテンローラの外周面とほぼ反対側に位置する前記プラテンローラの外周面に押し当てられて配置されていることを特徴とするプリンタ。
【請求項４】
請求項１〜請求項３のいずれかに記載のプリンタにおいて、前記第２従動ローラは、前記巻取リールの外周部が滑り回転可能に接触して前記巻取リールを回転させることを特徴とするプリンタ。
【請求項５】
請求項１〜請求項４のいずれかに記載のプリンタにおいて、前記印字ヘッドは筺体に設けられており、前記プラテンローラ、前記第１従動ローラ、および前記第２従動ローラは前記筺体に開閉可能に設けられたプリンタカバーに設けられていることを特徴とするプリンタ。
【請求項６】
請求項１〜請求項５のいずれかに記載のプリンタにおいて、前記プリンタカバーに設けられて、前記第１従動ローラの回転を前記第２従動ローラに伝達する連動機構を備えていることを特徴とするプリンタ。
【請求項７】
請求項６に記載のプリンタにおいて、前記第２従動ローラは、外径が前記巻取リールの外径よりも小さく形成され、前記連動機構は、前記第２従動ローラの回転数を前記第１従動ローラの回転数よりも増大させることを特徴とするプリンタ。
【請求項８】
請求項１〜請求項７のいずれかに記載されたプリンタを備えた売上登録装置。
【発明の詳細な説明】
【技術分野】
【０００１】
この発明は、電子レジスタなどの売上データ処理装置に用いられるプリンタおよびそれを備えた売上登録装置に関する。
【背景技術】
【０００２】
例えば、プリンタにおいては、特許文献１に記載されているように、印字ヘッドが記録紙をプラテンローラに押し当てた状態で情報を印刷し、この印刷された記録紙を巻取リールで巻き取る構造のものが知られている。
【先行技術文献】
【特許文献】
【０００３】
【特許文献１】特開２００６−２７２９２０号公報
【発明の概要】
【発明が解決しようとする課題】
【０００４】
この種のプリンタは、印刷された記録紙を巻取リールで巻き取るために、プラテンローラを回転させる印刷専用のモータのほかに、巻取リールを回転させるための巻取専用のモータを用いている。このため、このようなプリンタでは、２つのモータを用いているので、部品点数が多くなり、コスト高になるという問題がある。
【０００５】
この発明が解決しようとする課題は、部品点数の削減を図り、低コスト化を図ることができるプリンタおよびそれを備えた売上登録装置を提供することである。
【課題を解決するための手段】
【０００６】
この発明は、印字ヘッドが記録紙をプラテンローラに押し当てて前記記録紙に情報を印刷する際に、前記プラテンローラが前記印字ヘッドの印字に応じて駆動される印字部と、前記印字部で印刷された前記記録紙を巻き取る巻取リールと、前記プラテンローラの外周面に押し当てられて前記プラテンローラの回転に伴って回転する第１従動ローラと、前記第１従動ローラの回転によって回転して前記巻取リールを回転させる第２従動ローラと、を備えていることを特徴とするプリンタである。
【発明の効果】
【０００７】
この発明によれば、部品点数を削減することができ、低コスト化を図ることができる。
【図面の簡単な説明】
【０００８】
【図１】この発明を電子レジスタに適用した一実施形態を示した斜視図である。
【図２】図１に示された電子レジスタの側面図である。
【図３】図１に示された電子レジスタにおいてプリンタカバーのカバー本体をアーム部で破断して取り除いた状態を示した平面図である。
【図４】図３に示された電子レジスタのプリンタ部におけるジャーナル部を示した拡大平面図である。
【図５】図４に示されたジャーナル部を示した拡大側面図である。
【図６】図５に示されたジャーナル部における記録紙の搬送経路を示した拡大側面図である。
【発明を実施するための形態】
【０００９】
以下、図１〜図６を参照して、この発明を電子レジスタに適用した一実施形態について説明する。
この電子レジスタは、図１および図２に示すように、金銭を収納するドロア部１と、このドロア部１上に載置される売上登録装置であるレジスタ部２と、を備えている。
【００１０】
ドロア部１は、図１および図２に示すように、ドロアケース３と引出部４とを備えている。ドロアケース３は、レジスタ部２が載置される四角形の箱状に形成されている。このドロアケース３は、手前側の前面が開放され、内部に引出部４が引出可能に収納されている。引出部４は、上面が開放された箱状に形成され、内部に硬貨を金種ごとに収納する硬貨ボックスと、紙幣を金種ごとに収納する紙幣ボックスと、が設けられた構造になっている。
【００１１】
レジスタ部２は、図１〜図３に示すように、筺体であるレジスタ本体５を備えている。このレジスタ本体５は、手前側が低く奥側が高くなるように、上面が前下りに傾斜した形状に形成されている。このレジスタ本体５の前側部には、キーボード部６が設けられており、レジスタ本体５の右側奥部には、表示部７が設けられている。また、このレジスタ本体５の左側奥部には、プリンタ部８が設けられている。
【００１２】
キーボード部６は、図１および図３に示すように、キーボード本体１０と複数のキーブロック１１ａ〜１１ｆとを備え、これらがレジスタ本体５の前側ほぼ半分の領域に配置されている。この場合、複数のキーブロック１１ａ〜１１ｆのうち、第１のキーブロック１１ａは、アルファベットなどの文字キーが配列されている。第２のキーブロック１１ｂは、数字などのテンキーが配列されている。第３のキーブロック１１ｃは、＋、−などの演算キーが配列されている。
【００１３】
また、第４のキーブロック１１ｄは、図１および図３に示すように、第１のキーブロック１１ａの上辺部よりも上側に複数の第１ファンクションキーが配列されている。第５のキーブロック１１ｅは、第２のキーブロック１１ｂの上辺部よりも上側に複数の第２ファンクションキーが配列されている。第６のキーブロック１１ｆは、第３のキーブロック１１ｃの上辺部よりも上側に複数の第３ファンクションキーが配列されている。
【００１４】
表示部７は、図１および図３に示すように、液晶表示パネルやＥＬ（エレクトロ・ルミネッセンス）表示パネルなどの平面型の表示パネルであり、レジスタ本体５の奥側半分の領域における右側ほぼ半分の領域に設けられている。これにより、表示部７は、キーボード部６の入力操作に応じて入力されたデータを電気光学的に表示するように構成されている。
【００１５】
プリンタ部８は、図１〜図３に示すように、レジスタ本体５の奥側半分の領域における左側ほぼ半分の領域に設けられている。このプリンタ部８は、レシート発行部１２とジャーナル部１３とを備え、これらに共通のプリンタカバー１４によって開閉可能に塞がれる構造になっている。レシート発行部１２は、第１印字部１５と第１記録紙収納部１６とを備えている。
【００１６】
第１印字部１５は、図３に示すように、筺体であるレジスタ本体５のレシート発行部１２に設けられた第１印字ヘッド１５ａと、プリンタカバー１４に設けられた第１プラテンローラ１５ｂとを備えている。第１印字ヘッド１５ａは、プリンタカバー１４が閉じられてプリンタ部８を覆って塞いだ際に、記録紙（図示せず）を挟んで第１プラテンローラ１５ｂが接離可能に接近して対応する構造になっている。
【００１７】
この第１印字ヘッド１５ａは、図３に示すように、第１プラテンローラ１５ｂとの間に配置された記録紙（図示せず）を第１プラテンローラ１５ｂに押し当てて記録紙に売上データなどの情報を印刷する構造になっている。第１記録紙収納部１６は、ロール状に巻かれた記録紙を収納するものであり、レシート発行部１２内に設けられている。
【００１８】
これにより、レシート発行部１２は、図３に示すように、第１記録紙収納部１６内に収納された記録紙が第１印字ヘッド１５ａと第１プラテンローラ１５ｂとの間に送り出されて配置された状態で、第１印字ヘッド１５ａが記録紙を第１プラテンローラ１５ｂに押し当てて売上データなど情報を記録紙に印刷する構造になっている。
【００１９】
また、このレシート発行部１２は、図１および図３に示すように、第１印字ヘッド１５ａによって印刷された記録紙を、第１印字ヘッド１５ａの印字速度に応じて駆動されて回転する第１プラテンローラ１５ｂの回転に伴って、プリンタカバー１４の後述するカバー本体１４ａに設けられた記録紙排出口１４ｄからレシートとして発行する構造になっている。
【００２０】
ジャーナル部１３は、図３および図４に示すように、第２印字部１７、第２記録紙収納部１８、巻取リール１９、第１従動ローラ２０、第２従動ローラ２１、および連動機構２２を備えている。第２印字部１７は、筺体であるレジスタ本体５のジャーナル部１３に設けられた第２印字ヘッド２３と、プリンタカバー１４に設けられた第２プラテンローラ２４と、レジスタ本体５のジャーナル部１３に設けられたモータ２５と、を備えている。
【００２１】
この場合、プリンタカバー１４は、図１〜図４に示すように、プリンタ部８を開閉可能に覆うカバー本体１４ａと、このカバー本体１４ａの下面における左右方向の両側部と中間部とに設けられた複数のアーム部１４ｂと、これら複数のアーム部１４ｂにおける各奥側部にそれぞれ設けられた複数の支持軸１４ｃと、を備えている。複数の支持軸１４ｃは、複数のアーム部１４ｂとこれに対面するプリンタ部８の各内面とに同一軸上に対応した状態で回転可能に設けられている。
【００２２】
これにより、プリンタカバー１４は、図１〜図５に示すように、複数の支持軸１４ｃを中心に複数のアーム部１４ｂが上方に向けて回転した際に、プリンタ部８の後方に向けて斜めに傾いた状態で起立することにより、プリンタ部８を開放する構造になっている。また、このプリンタカバー１４は、複数の支持軸１４ｃを中心に複数のアーム部１４ｂが下方に向けて回転した際に、カバー本体１４ａがプリンタ部８を塞ぐ構造になっている。
【００２３】
第２印字ヘッド２３は、図３〜図６に示すように、サーマルヘッドであり、記録紙Ｐを第２プラテンローラ２４に押し当てて記録紙Ｐに売上データなどの情報を印刷する構造になっている。第２プラテンローラ２４は、プリンタカバー１４の複数のアーム部１４ｂにおける各前端部間に回転可能に取り付けられた回転軸２４ａを備え、この回転軸２４ａに設けられて回転軸２４ａと共に回転する構造になっている。
【００２４】
すなわち、この第２プラテンローラ２４は、図３〜図５に示すように、回転軸２４ａによって複数のアーム部１４ｂの各前端部間に回転自在に取り付けられた状態で、プリンタカバー１４が複数の支持軸１４ｃを中心に回転してプリンタ部８を覆って塞いだ際に、第２印字ヘッド２３に接近して配置される構造になっている。
【００２５】
モータ２５は、図４および図５に示すように、ＤＣモータであり、レジスタ本体５のジャーナル部１３に設けられて、伝達機構２６を介して第２印字ヘッド２３による印字速度に応じて第２プラテンローラ２４を駆動させて回転させる構造になっている。伝達機構２６は、モータ２５の出力軸に設けられた駆動歯車２６ａと、第２プラテンローラ２４の回転軸２４ａに設けられて駆動歯車２６ａが噛み合う従動歯車２６ｂと、を備えている。
【００２６】
この場合、第２プラテンローラ２４の回転軸２４ａに設けられた従動歯車２６ｂは、図４および図５に示すように、プリンタカバー１４が複数の支持軸１４ｃを中心に回転してプリンタ部８を覆って塞いだ際に、モータ２５の出力軸に設けられた駆動歯車２６ａに噛み合って回転する構造になっている。
【００２７】
これにより、モータ２５は、図４〜図５に示すように、その出力軸の回転によって伝達機構２６の駆動歯車２６ａを回転させ、この駆動歯車２６ａの回転によって第２プラテンローラ２４の従動歯車２６ｂを回転させ、この従動歯車２６ｂと共に回転軸２４ａを回転させて、第２プラテンローラ２４を回転させる構造になっている。
【００２８】
第２記録紙収納部１８は、図３〜図６に示すように、ロール状に巻かれた記録紙Ｐを収納するものであり、レジスタ本体５におけるジャーナル部１３内の前部側に設けられている。この場合、ロール状に巻かれた記録紙Ｐは、第２記録紙収納部１８に収納された状態で第２印字部１７に送り出される際に、第２記録紙収納部１８内で回転する構造になっている。
【００２９】
これにより、第２印字部１７は、図３〜図６に示すように、第２記録紙収納部１８内に収納された記録紙Ｐが第２印字ヘッド２３と第２プラテンローラ２４との間に送り込まれて配置された状態で、第２印字ヘッド２３が記録紙Ｐを第２プラテンローラ２４に押し当てて売上データなど情報を記録紙Ｐに印刷する構造になっている。
【００３０】
また、この第２印字部１７は、図４〜図６に示すように、第２印字ヘッド２３が記録紙Ｐに売上データなど情報を印刷する際に、第２印字ヘッド２３の印刷速度に応じてモータ２５が第２プラテンローラ２４を駆動させて回転させ、この第２プラテンローラ２４の回転によって印刷された記録紙Ｐを巻取リール１９に向けて送り込む構造になっている。
【００３１】
巻取リール１９は、図３〜図６に示すように、第２印字部１７によって印刷された記録紙Ｐを巻き取るものであり、レジスタ本体５のジャーナル部１３内における第２記録紙収納部１８の後部側に回転可能な状態で着脱可能に配置されている。第１従動ローラ２０は、第２プラテンローラ２４の外周面に押し当てられて第２プラテンローラ２４の回転に伴って回転するものであり、第２印字ヘッド２３と第２プラテンローラ２４との間を記録紙Ｐが通過する際に、記録紙Ｐの送り経路に干渉しない領域に配置されている。
【００３２】
すなわち、この第１従動ローラ２０は、図４および図５に示すように、プリンタカバー１４の複数のアーム部１４ｂにおける各前端部間に回転自在に取り付けられた駆動回転支持軸２０ａと、この駆動回転支持軸２０ａの両側に設けられて駆動回転支持軸２０ａと一体に回転する一対の当接ローラ部２０ｂと、を備えている。
【００３３】
また、この第１従動ローラ２０は、図４および図５に示すように、第２印字ヘッド２３が押し当てられる第２プラテンローラ２４の外周面とほぼ反対側に位置する第２プラテンローラ２４の外周面に一対の当接ローラ部２０ｂが押し当てられる箇所、つまり記録紙Ｐの送り経路と干渉しない箇所に配置されている。
【００３４】
この第１従動ローラ２０は、図４および図５に示すように、駆動回転支持軸２０ａが複数のアーム部１４ｂの各前端部間に第２プラテンローラ２４の外周面に接近して取り付けられ、この駆動回転支持軸２０ａに設けられた一対の当接ローラ部２０ｂが第２プラテンローラ２４の外周面における第２印字ヘッド２３と反対側の外周面の真横よりも少し斜め下側に位置する外周面に押し当てられる構造になっている。
【００３５】
これにより、この第１従動ローラ２０は、図４および図５に示すように、第２プラテンローラ２４が第２印字ヘッド２３による印字速度に応じて回転する際に、駆動回転支持軸２０ａに設けられた一対の当接ローラ部２０ｂが第２プラテンローラ２４の外周面に押し当てられていることにより、第２プラテンローラ２４の回転に伴って一対の当接ローラ部２０ｂが駆動回転支持軸２０ａと共に回転する構造になっている。
【００３６】
この場合、一対の当接ローラ部２０ｂは、図４および図５に示すように、外径が第２プラテンローラ２４の外径のほぼ半分の大きさで、第２プラテンローラ２４の外径よりも小さく形成されている。このため、この第１従動ローラ２０は、第２プラテンローラ２４の回転に伴って回転する際に、第１従動ローラ２０の回転数が第２プラテンローラ２４の回転数よりも増大する構造になっている。
【００３７】
また、これら一対の当接ローラ部２０ｂは、図４〜図６に示すように、巻取リール１９に巻き取られる記録紙Ｐに予め定められた以上の負荷が加わった際、つまり巻取リール１９の巻取力が強く、巻取リール１９が記録紙Ｐを極めて強く引っ張った際に、一対の当接ローラ部２０ｂが第２プラテンローラ２４に対して滑り回転することにより、記録紙Ｐの破れを防ぐ構造になっている。
【００３８】
一方、第２従動ローラ２１は、図４〜図６に示すように、第１従動ローラ２０の回転によって回転して巻取リール１９を回転させるためのものであり、巻取リール１９の下部側の外周部に滑り回転可能に接触した状態で、接触ローラ部２１ｂの回転によって巻取リール１９を回転させる構造になっている。
【００３９】
すなわち、この第２従動ローラ２１は、図４および図５に示すように、プリンタカバー１４の複数のアーム部１４ｂにおける１つのアーム部１４ｂの後端部に回転自在に取り付けられた従動回転支持軸２１ａと、この従動回転支持軸２１ａに設けられて従動回転支持軸２１ａと一体に回転する接触ローラ部２１ｂと、を備えている。
【００４０】
この場合、この第２従動ローラ２１は、図４および図５に示すように、従動回転支持軸２１ａが巻取リール１９の斜め下側に配置され、この従動回転支持軸２１ａに設けられた接触ローラ部２１ｂが巻取リール１９の下部側の外周部における斜め下側に位置する外周面に接触して配置されている。
【００４１】
すなわち、この第２従動ローラ２１は、図４および図５に示すように、接触ローラ部２１ｂに巻取リール１９の下部側の外周部が巻取リール１９の重量によって押し当てられていることにより、接触ローラ部２１ｂの回転によって巻取リール１９を回転させる構造になっている。
【００４２】
また、この第２従動ローラ２１は、図４および図５に示すように、接触ローラ部２１ｂの外径が巻取リール１９の外径の約1/10の大きさで、巻取リール１９の外径よりも大幅に小さく形成されている。これにより、第２従動ローラ２１は、その回転数が多くても巻取リール１９の回転数を減少させて、第２従動ローラ２１の回転速度よりも巻取リール１９の回転速度を減速させることにより、巻取リール１９をゆっくり回転させる構造になっている。
【００４３】
連動機構２２は、図４および図５に示すように、第１従動ローラ２０の回転を第２従動ローラ２１に伝達するものであり、駆動プーリ２７と従動プーリ２８と伝達ベルト２９とを備え、これらがプリンタカバー１４の複数のアーム部１４ｂにおける外部側に設けられている。すなわち、駆動プーリ２７は、第１従動ローラ２０の駆動回転支持軸２０ａに取り付けられて駆動回転支持軸２０ａと一体に回転する構造になっている。
【００４４】
この場合、第１従動ローラ２０の駆動回転支持軸２０ａは、図４および図５に示すように、一端部がプリンタカバー１４の複数のアーム部１４ｂにおける１つのアーム部１４ｂからジャーナル部１３の外部側方（図４では右側）に突出して設けられ、この突出した端部に駆動プーリ２７が取り付けられている。
【００４５】
従動プーリ２８は、図４および図５に示すように、第２従動ローラ２１の従動回転支持軸２１ａの一端部、つまりプリンタカバー１４の複数のアーム部１４ｂにおける１つのアーム部１４ｂからジャーナル部１３の外部側方（図４では右側）に突出して設けられた端部に取り付けられて、従動回転支持軸２１ａと一体に回転する構造になっている。
【００４６】
伝達ベルト２９は、図４および図５に示すように、駆動プーリ２７と従動プーリ２８とに巻き付けられて駆動プーリ２７の回転を従動プーリ２８に伝達して、第２従動ローラ２１を回転させるものである。この場合、駆動プーリ２７は、外径が従動プーリ２８の外径よりも大きく形成されている。このため、従動プーリ２８は、その回転数が駆動プーリ２７の回転数よりも増大し、従動プーリ２８の回転速度が駆動プーリ２７の回転速度よりも増速される構造になっている。
【００４７】
これにより、第２従動ローラ２１は、図４〜図６に示すように、第１従動ローラ２０の回転数よりも増大して巻取リール１９を回転させる際に、接触ローラ部２１ｂの外径が巻取リール１９の外径よりも大幅に小さいので、第２従動ローラ２１の回転速度よりも巻取リール１９をゆっくり回転させて、印刷された記録紙Ｐを弛ませることなく巻取リール１９で巻き取る構造になっている。
【００４８】
また、この第２従動ローラ２１は、図４〜図６に示すように、接触ローラ２１ｂの外周に巻取リール１９の外周部が巻取リール１９の重量によって接触しているだけであるから、巻取リール１９が記録紙Ｐを巻き取る際に、巻取リール１９が記録紙Ｐを少し強く引っ張ると、巻取リール１９の外周面が接触ローラ部２１ｂの外周面に対して滑り回転し、巻取リール１９を空転させて、巻取リール１９が記録紙Ｐを不必要に強く引っ張るのを防ぐ構造になっている。
【００４９】
ところで、プリンタカバー１４には、図４〜図６に示すように、第２プラテンローラ２４、第１従動ローラ２０、第２従動ローラ２１、連動機構２２、および伝達機構２６の従動歯車２６ｂが取り付けられている。このため、プリンタカバー１４は、巻取リール１９がジャーナル部１３内に配置された状態で、複数の支持軸１４ｃを中心に回転してプリンタ部８を開放させた際に、第２プラテンローラ２４を第２印字ヘッド２３から離脱させると共に、従動歯車２６ｂを駆動歯車２６ａから離脱させるほか、第１従動ローラ２０、第２従動ローラ２１および連動機構２２を第２記録紙収納部１８から離脱させる構造になっている。
【００５０】
次に、このような電子レジスタの作用について説明する。
この電子レジスタを使用する際には、予め、プリンタ部８に記録紙Ｐをセットする。このときには、まず、プリンタカバー１４を開いてプリンタ部８を開放させる。すなわち、プリンタカバー１４の複数の支持軸１４ｃを中心に複数のアーム部１４ｂを上方に向けて回転させて、カバー本体１４ａをプリンタ部８の後方に向けて斜めに傾けた状態で起立させる。これにより、プリンタ部８が開放される。
【００５１】
この状態で、レシート発行部１２の第１記録紙収納部１６にロール状の記録紙（図示せず）を収納させて、この収納された記録紙を送り出して第１印字ヘッド１５ａの印字面に配置させる。また、このときには、ジャーナル部１３の第２記録紙収納部１８にロール状の記録紙Ｐを収納させる。
【００５２】
この状態で、ジャーナル部１３の第２記録紙収納部１８に収納された記録紙Ｐを送り出して第２印字ヘッド２３の印字面に接近させた上、プリンタカバー１４に設けられた第２プラテンローラ２４と第１従動ローラ２０との上側を通して巻取リール１９に巻き付ける。このときには、記録紙Ｐの先端を巻取リール１９の軸部の切込み部に差し込んで、記録紙Ｐを巻取リール１９の軸部に巻き付け、この状態で巻取リール１９をジャーナル部１３内にセットする。
【００５３】
そして、プリンタカバー１４を閉じてプリンタ部８を塞ぐ。このときには、プリンタカバー１４に設けられた第１プラテンローラ１５ｂがレシート発行部１２の第１印字ヘッド１５ａに接近して配置され、この第１印字ヘッド１５ａと第１プラテンローラ１５ｂとの間にレシート発行部１２の記録紙（図示せず）が挟まれる。この挟まれた記録紙はプリンタカバー１４のカバー本体１４ａに設けられた記録紙排出口１４ｄに対応する。
【００５４】
また、このときには、プリンタカバー１４に設けられた第２プラテンローラ２４がジャーナル部１３の第２印字ヘッド２３に接近して配置され、この第２印字ヘッド２３と第２プラテンローラ２４との間にジャーナル部１３の記録紙Ｐが挟まれる。これと同時に、プリンタカバー１４に設けられた第２従動ローラ２１の従動回転支持軸２１ａにおける外端部に設けられた伝達機構２６の従動歯車２６ｂが、レジスタ本体５におけるジャーナル部１３に設けられたモータ２５の出力軸に設けられた駆動歯車２６ａに噛み合って配置される。
【００５５】
これにより、プリンタ部８がセットされる。この状態で、レジスタ部２のキーボード部６を操作して、売上データなどの情報を入力する。すなわち、キーボード部６の複数のキーブロック１１ａ〜１１ｆの各キーをキー操作して売上データを入力する。すると、入力された売上データが表示部７に表示される。この表示された売上データを確認した際には、複数のキーブロック１１ａ〜１１ｆのうちの登録キーをキー操作して表示された情報を登録する。
【００５６】
そして、登録された情報をプリンタ部８で印刷する際には、複数のキーブロック１１ａ〜１１ｆのうちの印刷キーを操作する。すると、プリンタ部８のレシート発行部１２の第１印字ヘッド１５ａが記録紙（図示せず）を第１プラテンローラ１５ｂに押し当てながら記録紙に登録された売上データを印刷する。この印刷された記録紙は、第１プラテンローラ１５ｂの回転によってプリンタカバーの記録紙排出口１４ｄからレシートとして発行される。
【００５７】
また、このときには、ジャーナル部１３の第２印字ヘッド２３が記録紙Ｐを第２プラテンローラ２４に押し当てながら登録された売上データを印刷する。この場合には、モータ２５によって第２プラテンローラ２４が第２印字ヘッド２３の印字速度に応じて回転する。すなわち、モータ２５が回転すると、モータ２５の出力軸に設けられた伝達機構２６の駆動歯車２６ａが回転し、この駆動歯車２６ａの回転が従動歯車２６ｂに伝達され、この従動歯車２６ｂの回転によって第２プラテンローラ２４が回転する。
【００５８】
このように、第２プラテンローラ２４が回転すると、印刷された記録紙Ｐが第２プラテンローラ２４の回転によって送り経路を経て順次送り出されて、巻取リール１９に巻き取られる。このときには、第２プラテンローラ２４に第１従動ローラ２０の一対の当接ローラ部２０ｂが押し当てられていることにより、第２プラテンローラ２４の回転に伴って第１従動ローラ２０が回転する。この第１従動ローラ２０の回転が連動機構２２を介して第２従動ローラ２１に伝達され、この第２従動ローラ２１の回転によって巻取リール１９が回転して印刷された記録紙Ｐを巻き取る。
【００５９】
このときには、第１従動ローラ２０の回転に伴って第１従動ローラ２０の駆動回転支持軸２０ａに設けられた連動機構２２の駆動プーリ２７が回転する。この駆動プーリ２７の回転は、伝達ベルト２９によって第２従動ローラ２１の従動回転支持軸２１ａに設けられた従動プーリ２８に伝達される。これにより、従動プーリ２８が回転し、この従動プーリ２８の回転に伴って第２従動ローラ２１が回転し、この第２従動ローラ２１の回転によって巻取リール１９が回転する。
【００６０】
すなわち、第２従動ローラ２１は、接触ローラ２１ｂに巻取リール１９の外周部が巻取リール１９の重量によって押し当てられているので、接触ローラ２１ｂの回転に伴って巻取リール１９が回転する。この場合には、駆動プーリ２７の外径が従動プーリ２８の外径よりも大きく形成されているため、従動プーリ２８の回転数が駆動プーリ２７の回転数よりも増大し、従動プーリ２８の回転速度が駆動プーリ２７の回転速度よりも増速される。
【００６１】
このように、第２従動ローラ２１の回転数が第１従動ローラ２０の回転数よりも増大しても、第２従動ローラ２１の接触ローラ部２１ｂの外径が巻取リール１９の外径よりも大幅に小さいので、巻取リール１９の回転数が減少されて、第２従動ローラ２１の回転速度よりも巻取リール１９の回転速度が減速される。これにより、巻取リール１９がゆっくり回転して、印刷された記録紙Ｐを弛ませることなく良好に巻き取る。
【００６２】
この場合、巻取リール１９が巻取力によって記録紙Ｐを少し強く引っ張った際には、第２従動ローラ２１の接触ローラ２１ｂの外周に巻取リール１９の外周部が巻取リール１９の重量によって接触しているだけであるから、第２従動ローラ２１の接触ローラ部２１ｂが回転していても、巻取リール１９の外周面が接触ローラ部２１ｂの外周面に対して滑り回転して、巻取リール１９が空転する。これにより、巻取リール１９が記録紙Ｐを不必要に強く引っ張ることがなく、巻リール１９が良好に巻き取ることができる。
【００６３】
また、巻取リール１９に巻き取られる記録紙Ｐに予め定められた以上の負荷が加わった際、つまり巻取リール１９の巻取力が強く、巻取リール１９が記録紙Ｐを極めて強く引っ張った際には、第１従動ローラ２０の一対の当接ローラ部２０ｂが第２プラテンローラに対して滑り回転して空転することにより、記録紙Ｐの破れを防ぐことができる。
【００６４】
このように、この電子レジスタのプリンタ部８によれば、第２印字ヘッド２３が記録紙Ｐを第２プラテンローラ２４に押し当てて記録紙Ｐに情報を印刷する際に、第２プラテンローラ２４が第２印字ヘッド２３の印字速度に応じて駆動される第２印字部１７と、この第２印字部１７で印刷された記録紙Ｐを巻き取る巻取リール１９と、第２プラテンローラ２４の外周面に押し当てられて第２プラテンローラ２４の回転に伴って回転する第１従動ローラ２０と、この第１従動ローラ２０の回転によって回転して巻取リール１９を回転させる第２従動ローラ２１と、を備えていることにより、部品点数を削減することができると共に、低コスト化を図ることができる。
【００６５】
すなわち、このプリンタ部８では、第２プラテンローラ２４の外周面に押し当てられた第１従動ローラ２０が第２プラテンローラ２４の回転に伴って回転し、この第１従動ローラ２０の回転によって第２従動ローラ２１が回転して巻取リール１９を回転させるので、巻取リール１９を回転させるための巻取専用の駆動源を必要としないため、駆動源であるモータ２５の数を削減することができ、これにより低コスト化を図ることができる。
【００６６】
この場合、第１従動ローラ２０は、第２プラテンローラ２４による記録紙Ｐの送り経路と干渉しない領域に配置されていることにより、第２印字ヘッド２３に記録紙Ｐを送り込んで印刷する際、および印刷された記録紙Ｐを巻取リール１９に送り込む際に、第１従動ローラ２０が記録紙Ｐの移動を妨げることがないので、第２印字ヘッド２３によって記録紙Ｐに情報を確実にかつ良好に印刷することができると共に、巻取リール１９によって印刷された記録紙Ｐを確実にかつ良好に巻き取ることができる。
【００６７】
すなわち、この第１従動ローラ２０は、第２印字ヘッド２３が押し当てられる第２プラテンローラ２４の外周面とほぼ反対側に位置する第２プラテンローラ２４の外周面に押し当てられて配置されていることにより、第１従動ローラ２０を記録紙Ｐの送り経路と干渉しない領域に確実にかつ良好に配置することができ、これにより第１従動ローラ２０が記録紙Ｐの移動を妨げることがないので、第２印字ヘッド２３によって記録紙Ｐに情報を確実にかつ良好に印刷することができると共に、巻取リール１９によって印刷された記録紙Ｐを確実にかつ良好に巻き取ることができる。
【００６８】
また、このプリンタ部８の第２従動ローラ２１は、巻取リール１９の外周部が滑り回転可能に接触して巻取リール１９を回転させることにより、記録紙Ｐを巻リール１９で良好に巻き取ることができる。すなわち、この第２従動ローラ２１は、巻取リール１９の下部側の外周部が巻取リール１９の重量によって接触ローラ部２１ｂに押し当てられているので、接触ローラ部２１ｂの回転によって巻取リール１９を良好に回転させることができる。
【００６９】
このため、この第２従動ローラ２１は、巻取リール１９が記録紙Ｐを巻き取る際に、記録紙Ｐが弛むことがなく、巻取リール１９で記録紙Ｐを確実にかつ良好に巻き取ることができると共に、巻取リール１９が記録紙Ｐを少し強く引っ張った際に、巻取リール１９の外周面を接触ローラ部２１ｂの外周面に対して滑り回転させることができ、これにより巻取リール１９を空転させることができるので、巻取リール１９が記録紙Ｐを不必要に強く引っ張らないようにすることができる。
【００７０】
この場合、第１従動ローラ２０は、巻取リール１９に巻き取られる記録紙Ｐに予め定められた以上の負荷が加わった際に、第２プラテンローラ２４に対して滑り回転することにより、記録紙Ｐの破断を防ぐことができる。すなわち、この第１従動ローラ２０は、巻取リール１９に巻き取られる記録紙Ｐに予め定められた以上の負荷、つまり巻取リール１９の巻取力が強く、巻取リール１９が記録紙Ｐを極めて強く引っ張った際に、第１従動ローラ２０が第２プラテンローラに対して滑り回転して空転するので、記録紙Ｐの破れを確実にかつ良好に防ぐことができる。
【００７１】
また、このプリンタ部８では、第２印字ヘッド２３が筺体であるレジスタ本体５に設けられ、第２プラテンローラ２４、第１従動ローラ２０、および第２従動ローラ２１がプリンタ部８を開閉可能に塞ぐプリンタカバー１４に設けられていることにより、組立作業が簡単で容易にできる。すなわち、プリンタカバー１４に予め第２プラテンローラ２４、第１従動ローラ２０、および第２従動ローラ２１を組み付けることができるので、組立作業が簡単で容易にできる。
【００７２】
さらに、このプリンタ部８では、プリンタカバー１４に設けられて、第１従動ローラ２０の回転を第２従動ローラ２１に伝達する連動機構２２を備えていることにより、第１従動ローラ２０の回転を連動機構２２によって第２従動ローラ２１に伝達させて、第２従動ローラ２１を確実にかつ良好に回転させることができる共に、連動機構２２がプリンタカバー１４に設けられていることにより、これによっても組立作業が簡単で容易にできる。
【００７３】
すなわち、この連動機構２２は、第１従動ローラ２０の駆動回転支持軸２０ａに取り付けられた駆動プーリ２７と、第２従動ローラ２１の従動回転支持軸２１ａに取り付けられた従動プーリ２８と、駆動プーリ２７と従動プーリ２８とに巻き付けられて駆動プーリ２７の回転を従動プーリ２８に伝達する伝達ベルト２９と、を備えているので、第１従動ローラ２０の回転を連動機構２２によって第２従動ローラ２１に確実にかつ良好に伝達させることができる。
【００７４】
この場合、このプリンタ部８では、第２従動ローラ２１の外径が巻取リールの外径よりも小さく形成されていることにより、第２従動ローラ２１の回転速度が速くても、巻取リール１９をゆっくり回転させることができ、これにより巻取リール１９で記録紙Ｐを良好に巻き取ることができる。
【００７５】
また、このプリンタ部８では、連動機構２２が第２従動ローラ２１の回転数を第１従動ローラ２０の回転数よりも増大させることにより、第１従動ローラ２０の回転速度よりも第２従動ローラ２１の回転速度を速くすることができ、これにより記録紙Ｐが弛むことなく巻取リール１９で記録紙Ｐを良好に巻き取ることができる。
【００７６】
すなわち、連動機構２２は、第１従動ローラ２０の駆動回転支持軸２０ａに取り付けられた駆動プーリ２７の外径が、第２従動ローラ２１の従動回転支持軸２１ａに取り付けられた従動プーリ２８の外径よりも大きいので、第２従動ローラ２１の回転速度を第１従動ローラ２０の回転速度よりも確実にかつ良好に増速させることができる。
【００７７】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７８】
（付記）
請求項１に記載の発明は、印字ヘッドが記録紙をプラテンローラに押し当てて前記記録紙に情報を印刷する際に、前記プラテンローラが前記印字ヘッドの印字に応じて駆動される印字部と、前記印字部で印刷された前記記録紙を巻き取る巻取リールと、前記プラテンローラの外周面に押し当てられて前記プラテンローラの回転に伴って回転する第１従動ローラと、前記第１従動ローラの回転によって回転して前記巻取リールを回転させる第２従動ローラと、を備えていることを特徴とするプリンタである。
【００７９】
請求項２に記載の発明は、請求項１に記載のプリンタにおいて、前記第１従動ローラは、前記プラテンローラによる前記記録紙の送り経路に干渉しない領域に配置されていることを特徴とするプリンタである。
【００８０】
請求項３に記載の発明は、請求項１または請求項２に記載のプリンタにおいて、前記第１従動ローラは、前記印字ヘッドが押し当てられる前記プラテンローラの外周面とほぼ反対側に位置する前記プラテンローラの外周面に押し当てられて配置されていることを特徴とするプリンタである。
【００８１】
請求項４に記載の発明は、請求項１〜請求項３のいずれかに記載のプリンタにおいて、前記第２従動ローラは、前記巻取リールの外周部が滑り回転可能に接触して前記巻取リールを回転させることを特徴とするプリンタである。
【００８２】
請求項５に記載の発明は、請求項１〜請求項４のいずれかに記載のプリンタにおいて、前記印字ヘッドは筺体に設けられており、前記プラテンローラ、前記第１従動ローラ、および前記第２従動ローラは前記筺体に開閉可能に設けられたプリンタカバーに設けられていることを特徴とするプリンタである。
【００８３】
請求項６に記載の発明は、請求項１〜請求項５のいずれかに記載のプリンタにおいて、前記プリンタカバーに設けられて、前記第１従動ローラの回転を前記第２従動ローラに伝達する連動機構を備えていることを特徴とするプリンタである。
【００８４】
請求項７に記載の発明は、請求項６に記載のプリンタにおいて、前記第２従動ローラは、外径が前記巻取リールの外径よりも小さく形成され、前記連動機構は、前記第２従動ローラの回転数を前記第１従動ローラの回転数よりも増大させることを特徴とするプリンタである。
【００８５】
請求項８に記載の発明は、請求項１〜請求項７のいずれかに記載されたプリンタを備えた売上登録装置である。
【符号の説明】
【００８６】
１  ドロア部
２  レジスタ部
５  レジスタ本体
８  プリンタ部
１２  レシート発行部
１３  ジャーナル部
１４  プリンタカバー
１４ａ  カバー本体
１４ｂ  アーム部
１４ｃ  支持軸
１７  第２印字部
１８  第２記録紙収納部
１９  巻取リール
２０  第１従動ローラ
２０ａ  駆動回転支持軸
２０ｂ  当接ローラ部
２１  第２従動ローラ
２１ａ  従動回転支持軸
２１ｂ  接触ローラ部
２２  連動機構
２３  第２印字ヘッド
２４  第２プラテンローラ
２４ａ  回転軸
２５  モータ
２６  伝達機構
２７  駆動プーリ
２８  従動プーリ
２９  伝達ベルト
Ｐ  記録紙
【図１】
2020044762.tif 000003
【図２】
2020044762.tif 000004
【図３】
2020044762.tif 000005
【図４】
2020044762.tif 000006
【図５】
2020044762.tif 000007
【図６】
2020044762.tif 000008